(57)【要約】  【課題】  簡単な操作で栓本体から弁機構を取り外すことができ、弁機構を容易に洗浄できる。  【解決手段】  操作レバー２６の一端に枢着部２６ａ、他端に押下部２６ｂを設け、中間部にスプリング部材３１により他端側に付勢されるスライド部材３０を装着し、スライド部材３０下面に鉤状の係合部３０ａを形成する。枢着部２６ａを栓本体２２に回動可能且つスライド可能に支持し、弁棒３３の先端に、係合突部３３ｃを設ける。栓体２０を容器本体１０から取り外し、操作レバー２６を回動限界Ｌ１よりも回動し、一端側にスライドさせると、スライド部材３０が操作レバー２６の一端側に移動し、係合突部３３ｃが係合部３０ａから外れ、弁機構２３が栓本体２２から外れる。栓体２０を容器本体１０に装着すると、把手１４ｃによって、操作レバー２６の回動が規制され、係合突部３３ｃは係合部３０ａに収容された状態を保持する。【選択図】  図１
2005278855.tif 000002
【特許請求の範囲】
【請求項１】
飲料容器の開口部に着脱可能に装着され、飲料容器を傾けることで内容液を注出する注出路を備えた栓本体に、前記注出路を開閉する弁体と、該弁体から上方に延出して前記栓本体に設けられたガイド筒に上下動可能に挿通される弁棒と、該弁棒を押し下げて前記弁体を開放させる操作レバーと、前記弁体を閉方向に付勢する付勢手段とを有する弁機構を設けた飲料容器の栓体において、前記操作レバーの長手方向一端に枢着部を、長手方向他端に押下部をそれぞれ設け、長手方向中間部に長手方向にスライド可能なスライド部材を装着し、前記枢着部を栓本体の内部で回動可能かつ操作レバー長手方向にスライド可能に支持し、前記押下部を栓本体の天板に設けた開口から栓本体の外部に突出させ、操作レバー及びスライド部材を押下部方向に付勢するスプリング部材を設けるとともに、前記スライド部材の下面に押下部側が開口して前記弁棒の上端に設けられた係合突部が係合する鉤状の係合部を形成し、前記押下部を押し下げた状態で操作レバーを栓本体内に押し込んで前記スライド部材を枢着部側にスライドさせることにより、前記弁棒上端の係合突部とスライド部材下面の係合部との係合が解除され、前記弁体が弁棒と共に栓本体から取り外し可能な状態になるように形成したことを特徴とする飲料容器の栓体。
【請求項２】
前記飲料容器の上部一側に把手を備え、前記栓体を飲料容器に装着した状態で前記操作レバーの押下部を押し下げて前記弁体を開いたときに、該押下部が前記把手に当接して操作レバーの押し下げ方向への回動を規制し、回動が規制された状態の操作レバーは、該操作レバーの中間部が前記栓本体の天板開口部の外面に当接して操作レバーの栓本体内への押し込みができなくなるように形成されていることを特徴とする請求項１記載の飲料容器の栓体。
【請求項３】
飲料容器の開口部に着脱可能に装着され、飲料容器を傾けることで内容液を注出する注出路を備えた栓本体に、前記注出路を開閉する弁体と、該弁体から上方に延出して前記栓本体に設けられたガイド筒に上下動可能に挿通される弁棒と、該弁棒を押し下げて前記弁体を開放させる操作レバーと、前記弁体を閉方向に付勢する付勢手段とを有する弁機構を設けた飲料容器の栓体において、前記操作レバーの長手方向一端に枢着部を、長手方向他端に押下部をそれぞれ設け、長手方向中間部に長手方向にスライド可能なスライド部材を装着し、前記枢着部を栓本体の内部で回動可能に支持し、前記押下部を栓本体の天板に設けられた開口から栓本体の外部に突出させ、前記スライド部材を押下部方向に付勢するスプリング部材を設けるとともに、前記スライド部材の下面に押下部側が開口して前記弁棒の上端に設けられた係合突部が係合する鉤状の係合部を形成し、該スライド部材の側方の前記栓本体に枢着部側に向けて下り勾配となる傾斜面を設け、前記押下部を押し下げたときに、前記傾斜面によりスライド部材がガイドされて枢着部側にスライドすることにより、前記弁棒上端の係合突部とスライド部材下面の係合部との係合が解除され、前記弁体が弁棒と共に栓本体から取り外し可能な状態になるように形成したことを特徴とする飲料容器の栓体。
【請求項４】
前記飲料容器の上部一側に把手を備え、前記栓体を飲料容器に装着した状態で前記操作レバーの押下部を押し下げて前記弁体を開いたときに、該押下部が前記把手に当接して操作レバーの押し下げ方向への回動を規制することにより、前記スライド部材が前記傾斜面によりガイドされない位置に保持され、前記係合部と係合突部との係合状態を維持するように形成されていることを特徴とする請求項３記載の飲料容器の栓体。
【請求項５】
前記スライド部材は、前記弁体が弁棒と共に栓本体から取り外されたときに、前記スプリング部材に付勢されることによって前記天板に設けた開口側に突出し、操作レバーの押下部を押し下げ位置に保持する突出片を有していることを特徴とする請求項１又は３記載の飲料容器の栓体。
【請求項６】
前記弁棒の中間位置に径方向に突出する位置決め用突起を突設し、前記ガイド筒の下部に前記位置決め用突起が嵌合する下方が開口した凹溝部を形成し、該凹溝部の両側に凹溝部方向に向かって上り勾配となる傾斜面を下向きに形成し、取り外した弁体の弁棒をガイド筒に挿入するときに、前記位置決め用突起が前記傾斜面によって凹溝部にガイドされ、位置決め用突起が凹溝部に嵌合したときに、弁棒上端の前記係合突部が前記係合部に係合可能な方向を向くように形成されていることを特徴とする請求項１又は３記載の飲料容器の栓体。
【請求項７】
前記弁機構は、飲料容器内の圧力が高くなったときに、前記弁体が開状態となる前に、前記飲料容器内部と前記栓本体内とを連通させて飲料容器内を減圧する減圧手段を備えていることを特徴とする請求項１乃至４のいずれか１項記載の飲料容器の栓体
【発明の詳細な説明】
【技術分野】
【０００１】
本発明は、魔法瓶等の飲料容器の栓体に係り、詳しくは、栓体に弁機構を有し、飲料容器に栓体を装着した状態のままで内容液を注出することのできる飲料容器の栓体に関する。
【背景技術】
【０００２】
従来、飲料容器を傾けることで内容液を注出する注出路を備えた栓本体に、注出路を開閉可能に閉塞する弁機構を収納した飲料容器の栓体において、前記弁機構は、前記栓本体に上下動可能に設けられる弁棒と、該弁棒の下端に支持され、前記注出路を開閉可能に閉塞する弁体と、該弁体を閉方向に付勢する付勢手段と、前記付勢手段の付勢力に抗して前記弁棒を押し下げることにより弁体を開放させる操作レバーとを備え、前記栓本体は、操作レバーの押下部を外部に突出させる開口を天板に備えている。
【０００３】
このような飲料容器の栓体では、内容液を注出する際に弁体や弁棒が内溶液に触れるため、湯垢等で汚れやすく、これらや注出路を洗浄するために、栓体を分解して洗浄することが行われている。例えば、前記弁棒の先端と当接している操作レバーの基端に一対の係止腕を設け、各係止腕にそれぞれ形成された挿通孔に、操作レバーを栓本体に枢支する枢軸が挿入され、挿通孔の下部には前記枢軸を挿通孔に導くガイド溝が形成されるとともに、各挿通孔の近傍に半球状のボス部が突設されているものがある。この栓体を洗浄する際には、操作レバーを反作動方向に回動させ、ボス部によって各係止腕の間隔を広げることにより、挿通孔から枢軸を外して操作レバーを取り外し、次いで、弁棒，弁体，付勢手段を栓本体から取り外して、弁機構を洗浄するようにしている（特許文献１参照。）。
【特許文献１】特開２００２−１６５７０９号公報
【発明の開示】
【発明が解決しようとする課題】
【０００４】
しかし、上述のものでは、弁機構を栓本体から取り外すためには、先ず、天板を取外した後、操作レバーを栓本体から取り外さなければならないため、弁機構の取り外しに手間が掛かっていた。
【０００５】
そこで本発明は、内溶液と接触する弁体や弁棒を簡単な操作で栓本体から取り外すことができ、これらや注出路を容易に洗浄することができる飲料容器の栓体を提供することを目的としている。
【課題を解決するための手段】
【０００６】
上記の目的を達成するため第１の発明では、飲料容器の開口部に着脱可能に装着され、飲料容器を傾けることで内容液を注出する注出路を備えた栓本体に、前記注出路を開閉する弁体と、該弁体から上方に延出して前記栓本体に設けられたガイド筒に上下動可能に挿通される弁棒と、該弁棒を押し下げて前記弁体を開放させる操作レバーと、前記弁体を閉方向に付勢する付勢手段とを有する弁機構を設けた飲料容器の栓体において、前記操作レバーの長手方向一端に枢着部を、長手方向他端に押下部をそれぞれ設け、長手方向中間部に長手方向にスライド可能なスライド部材を装着し、前記枢着部を栓本体の内部で回動可能かつ操作レバー長手方向にスライド可能に支持し、前記押下部を栓本体の天板に設けた開口から栓本体の外部に突出させ、操作レバー及びスライド部材を押下部方向に付勢するスプリング部材を設けるとともに、前記スライド部材の下面に押下部側が開口して前記弁棒の上端に設けられた係合突部が係合する鉤状の係合部を形成し、前記押下部を押し下げた状態で操作レバーを栓本体内に押し込んで前記スライド部材を枢着部側にスライドさせることにより、前記弁棒上端の係合突部とスライド部材下面の係合部との係合が解除され、前記弁体が弁棒と共に栓本体から取り外し可能な状態になるように形成したことを特徴としている。
【０００７】
第２の発明では、前記飲料容器の上部一側に把手を備え、前記栓体を飲料容器に装着した状態で前記操作レバーの押下部を押し下げて前記弁体を開いたときに、該押下部が前記把手に当接して操作レバーの押し下げ方向への回動を規制し、回動が規制された状態の操作レバーは、該操作レバーの中間部が前記栓本体の天板開口部の外面に当接して操作レバーの栓本体内への押し込みができなくなるように形成されていることを特徴としている。
【０００８】
第３の発明では、飲料容器の開口部に着脱可能に装着され、飲料容器を傾けることで内容液を注出する注出路を備えた栓本体に、前記注出路を開閉する弁体と、該弁体から上方に延出して前記栓本体に設けられたガイド筒に上下動可能に挿通される弁棒と、該弁棒を押し下げて前記弁体を開放させる操作レバーと、前記弁体を閉方向に付勢する付勢手段とを有する弁機構を設けた飲料容器の栓体において、前記操作レバーの長手方向一端に枢着部を、長手方向他端に押下部をそれぞれ設け、長手方向中間部に長手方向にスライド可能なスライド部材を装着し、前記枢着部を栓本体の内部で回動可能に支持し、前記押下部を栓本体の天板に設けられた開口から栓本体の外部に突出させ、前記スライド部材を押下部方向に付勢するスプリング部材を設けるとともに、前記スライド部材の下面に押下部側が開口して前記弁棒の上端に設けられた係合突部が係合する鉤状の係合部を形成し、該スライド部材の側方の前記栓本体に枢着部側に向けて下り勾配となる傾斜面を設け、前記押下部を押し下げたときに、前記傾斜面によりスライド部材がガイドされて枢着部側にスライドすることにより、前記弁棒上端の係合突部とスライド部材下面の係合部との係合が解除され、前記弁体が弁棒と共に栓本体から取り外し可能な状態になるように形成したことを特徴としている。
【０００９】
第４の発明では、前記飲料容器の上部一側に把手を備え、前記栓体を飲料容器に装着した状態で前記操作レバーの押下部を押し下げて前記弁体を開いたときに、該押下部が前記把手に当接して操作レバーの押し下げ方向への回動を規制することにより、前記スライド部材が前記傾斜面によりガイドされない位置に保持され、前記係合部と係合突部との係合状態を維持するように形成されていることを特徴としている。
【００１０】
第５の発明では、前記スライド部材は、前記弁体が弁棒と共に栓本体から取り外されたときに、前記スプリング部材に付勢されることによって前記天板に設けた開口側に突出し、操作レバーの押下部を押し下げ位置に保持する突出片を有していることを特徴としている。
【００１１】
第６の発明では、前記弁棒の中間位置に径方向に突出する位置決め用突起を突設し、前記ガイド筒の下部に前記位置決め用突起が嵌合する下方が開口した凹溝部を形成し、該凹溝部の両側に凹溝部方向に向かって上り勾配となる傾斜面を下向きに形成し、取り外した弁体の弁棒をガイド筒に挿入するときに、前記位置決め用突起が前記傾斜面によって凹溝部にガイドされ、位置決め用突起が凹溝部に嵌合したときに、弁棒上端の前記係合突部が前記係合部に係合可能な方向を向くように形成されていることを特徴としている。
【００１２】
第７の発明では、前記弁機構は、飲料容器内の圧力が高くなったときに、前記弁体が開状態となる前に、前記飲料容器内部と前記栓本体内とを連通させて飲料容器内を減圧する減圧手段を備えていることを特徴としている。
【発明の効果】
【００１３】
第１の発明では、操作レバーの押下部を最大に押し下げた状態で枢着部側に押し、操作レバーを栓本体内に向けてスライドさせることにより、スライド部材が移動して係合部から弁棒の係合突部が外れるので、弁体及び弁棒を栓本体から簡単に外すことができる。また、第２の発明では、栓体が飲料容器に装着された状態では、操作レバーの回動が飲料容器の把手によって規制されるため、弁体を開放するために必要な回動量以上に操作レバーが回動することがなく、弁体等が栓本体から外れる虞がない。
【００１４】
第３の発明では、操作レバーの押下部を最大に押し下げることにより、スライド部材が傾斜面を下降して弁棒の係合突部がスライド部材の係合部から外れる位置までスライドするので、押下部を押し下げるだけで弁体等を栓本体から簡単に取り外すことができる。第４の発明では、栓体が飲料容器に装着された状態では操作レバーの回動が規制されるため、スライド部材が移動しないので弁体等が栓本体から外れる虞がない。
【００１５】
第５の発明では、栓本体から弁体等を取り外すとスライド部材の突出片によって操作レバーの押下部が回動初期位置まで復帰することが規制されるので、栓本体に弁体等が装着されているか否かを、外観から簡単に判別することができ、弁体等を栓本体から外して洗浄した後に栓本体に装着し忘れることがない。第６の発明では、栓本体のガイド筒に弁棒を挿入する際に、位置決め用突起が凹溝部に嵌合したときに係合突部の位置決めが自動的に行われるので、栓本体に弁体等を簡単に装着することができる。第７の発明では、減圧手段によって飲料容器内の減圧を図ることができ、飲料容器内の圧力が高くなったときでも弁体を軽い力で開くことができる。
【発明を実施するための最良の形態】
【００１６】
以下、本発明の各形態例を図面に基づいて詳しく説明する。図１乃至図８は本発明の第１形態例を示すもので、図１は栓体を装着した飲料容器の要部断面図、図２は栓体の弁体が開状態の飲料容器の要部断面図、図３は天板を外した状態を示す栓体の平面図、図４は弁体を開状態とした時の栓体の断面図、図５は操作レバーを飲料容器装着時の回動限界よりも更に回動させた状態を示す栓体の断面図、図６は操作レバーを更に回動させて係合突部が係合部から外れた状態を示す栓体の断面図、図７は弁機構を栓本体から取り外した状態の栓体の断面図、図８は弁機構を栓本体に装着する際の説明図である。尚、本形態例では、飲料容器として、図１及び図２に示したような保温機能を有する魔法瓶を用いて説明する。
【００１７】
飲料容器としての魔法瓶１は、容器本体１０の上部開口部に栓体２０が着脱可能に装着されたもので、容器本体１０は、上部を開口したステンレス製の内容器１１と外容器１２の上端同士を一体に接合して両容器１１，１２間を断熱層１３とし、接合した両容器１１，１２の上部には肩部材１４が一体に組み付けられている。肩部材１４は、接合した両容器１１，１２の開口部分に垂設され、該開口部分に嵌め付けられる環状係止部１４ａと、該環状係止部１４ａの一側方から突出する嘴状の注ぎ部１４ｂと、該注ぎ部１４ｂと対向する位置に突設される把手１４ｃとを備えたもので、前記環状係止部１４ａに合成樹脂製の前記栓体２０が着脱可能に装着される。
【００１８】
栓体２０は、魔法瓶１を注ぎ部１４ｂ方向へ傾けることで、内容液を前記注ぎ部１４ｂを介して注出する注出路２１を備えた栓本体２２と、該注出路２１を開閉可能に閉塞する弁機構２３とを備えている。
【００１９】
栓本体２２は、平面視円形で、小径の下部筒２２ａと大径の上部筒２２ｂと上部筒２２ｂの上面を覆う天板２２ｃとを備え、下部筒２２ａは前記環状係止部１４ａに嵌合する径に、魔法瓶１から露出する上部筒２２ｂは肩部材１４と略同じ径にそれぞれ形成され、下部筒２２ａがシールパッキン２４を介して環状係止部１４ａに装着される。前記下部筒２２ａの内部には、前記弁機構２３を上下動可能に保持するガイド筒２５が設けられ、上部筒２２ｂの一側には、操作レバー２６の保持部２７が設けられ、該保持部２７に操作レバー２６が回動可能且つスライド可能に保持されている。
【００２０】
ガイド筒２５は、下部に大径筒部２５ａ，上部に小径筒部２５ｂを備えたもので、大径筒部２５ａの下部周壁には、図７，８に示すように、凹溝部２５ｃと、該凹溝部２５ｃ方向に向かって上り勾配となる傾斜面２５ｄを下向きに形成した円錐状凹状部が形成されている。小径筒部２５ｂには、前記弁機構２３の上下動に伴って上下動するフラップ２８が保持され、該フラップ２８の下面と大径筒部２５ａの上面との間に第１スプリング２９が縮設されている。
【００２１】
保持部２７は、図３に示すように、操作レバー２６の二股状の枢着部２６ａ，２６ａの外面側に配設される２つの突起２７ａ，２７ａと、前記枢着部２６ａ，２６ａの間に配設される平面視コ字状の保持片２７ｂと、枢着部２６ａ，２６ａの外面側に、該枢着部２６ａ，２６ａのスライドを案内するガイド２７ｃ，２７ｃを有している。
【００２２】
操作レバー２６は、一端側に、前記二股状の枢着部２６ａ，２６ａが形成され、他端側に、該枢着部２６ａ，２６ａより肉厚に形成される略楕円状の押下部２６ｂをそれぞれ有し、枢着部２６ａ，２６ａ間には、スライド部材３０がスライド可能に装着されている。枢着部２６ａ，２６ａの一端外面には、前記突起２７，２７と当接して、操作レバー２６の他端側への移動を規制する規制片２６ｃ，２６ｃが突設される。スライド部材３０の一端面と、前記保持片２７ｂとの間にはスライド部材３０を他端側に付勢するスプリング部材３１が縮設され、スライド部材３０の他端面と前記押下部２６ｂとの当接によって、スライド部材３０の他端側へのスライドが規制される。また、スライド部材３０の下面には、前記弁機構２３を係合させる、他端側が開口した鉤状の係合部３０ａが形成されている。
【００２３】
天板２２ｃは、他側側に操作レバー２６の押下部２６ｂを外部に突出させる開口部２２ｄを有するとともに、天板２２ｃと上部筒２２ｂの側面とに亘って、前記押下部２６ｂの回動を許容する開口が形成されている。また、天板２２ｃの略中央部で、開口部２２ｄの一端側下面には、突片２２ｅが設けられ、天板２２ｃの一端側下面で、前記保持部２７の上方位置には、操作レバー２６の枢着部２６ａ，２６ａの浮き上がりを防止する押え片２２ｆが突設されている。
【００２４】
前記弁機構２３は、前記下部筒２２ａの下端部２２ｇを水密に閉塞する弁体３２と、該弁体３２の中央部から上方に延びる弁棒３３と、該弁棒３３と前記弁体３２との間に形成される減圧手段３４とを備えている。前記弁体３２は、前記下端部２２ｇよりやや大径の円盤状に形成され、外周に止水パッキン３５を装着している。弁体３２の中央部には、弁棒３３の装着孔３２ａが穿設されている。
【００２５】
弁棒３３は、下端に前記装着孔３２ａより大径の円盤部３３ａと、上方に延出して前記操作レバー２６に保持される軸部３３ｂとを備えたもので、軸部３３ｂの先端には、前記係合部３０ａに収容される一対の係合突部３３ｃ，３３ｃが対向して設けられている。また、軸部３３ｂの下方には、前記ガイド筒２５の大径筒部２５ａに収容可能な大径フランジ部３３ｄが軸部３３ｂと一体に回転するように取り付けられ、この大径フランジ部３３ｄには、図８に示されるように、係合突部３３ｃ，３３ｃと同一方向に突出する位置決め用突起３３ｅ，３３ｅが突設されている。前記円盤部３３ａの外周には、減圧パッキン３６が装着されている。
【００２６】
弁棒３３は、軸部３３ｂを前記弁体３２の装着孔３２ａに挿通され、前記大径フランジ部３３ｄの下面と、前記弁体３２の上面との間に縮設された第２スプリング３７により、弁体３２の下面と前記減圧パッキン３６とが密着して前記弁棒３３と弁体３２とが一体に連結される。前記減圧手段３４は、前記弁体３２の装着孔３２ａ、弁棒３３の円盤部３３ａ、減圧パッキン３６、第１，第２スプリング２９，３７とで構成されている。
【００２７】
また、弁体３２の装着孔３２ａは、弁棒３３の軸部３３ｂより大径に形成され、弁体３２から上方に突出した軸部３３ｂは、ガイド筒２５の小径筒部２５ｂに挿通され、ガイド筒２５の大径筒部２５ａに前記大径フランジ部３３ｄが収容されるとともに、前記係合突部３３ｃ，３３ｃがスライド部材３０の係合部３０ａに係合し、弁機構２３が栓本体２２に取り付けられる。また、前述のガイド筒２５に形成される凹溝部２５ｃ，２５ｃの形成位置は、係合突部３３ｃ，３３ｃが係合部３０ａと係合する方向と同一方向に形成されている。
【００２８】
上述のように形成された魔法瓶１は、図１及び図２に示されるように容器本体１０の上部開口部に栓体２０が着脱可能に装着されている。図１に示す閉栓時では、操作レバー２６は、第１スプリング２９の付勢力で上昇するフラップ２８に下方から押されることによって押下部２６ｂが上昇位置に保持される。また、スプリング部材３１の付勢力により、スライド部材３０が係合部３０ａと係合突部３３ｃとの係合方向に押圧されるとともに、規制片２６ｃ，２６ｃが保持部２７の突起２７ａ，２７ａに当接して他端側への移動が規制されている。弁棒３３の係合突部３３ｃ，３３ｃは、スライド部材３０の係合部３０ａに係合された状態で保持され、弁体３２の止水パッキン３５が下部筒２２ａの下端部２２ｇに密着するとともに、減圧パッキン３６が弁体３２の下面に密着して注出路２１が閉塞されている。
【００２９】
図２に示すように、操作レバー２６の押下部２６ｂを押し下げると、操作レバー２６は、保持部２７の突起２７ａ，２７ａ、保持片２７ｂ、天板２２ｃの押え片２２ｆとに保持されながら、枢着部２６ａ，２６ａの一端側を支点に回動する。操作レバー２６の回動に伴って、スライド部材３０が弁棒３３の先端を下方に押し下げ、弁棒３３と弁体３２とが第１スプリング２９の付勢力に抗して、一体となって下方に移動する。これに伴って、止水パッキン３５が下部筒２２ａの下端部２２ｇを離れ、注出路２１が開放され、魔法瓶１を注ぎ部１４ｂ方向へ傾けると、内容液が注出路２１，注ぎ部１４ｂを介して注出される。また、操作レバー２６は、押下部２６ｂが把手１４ｃと当接することによって回動が規制され、前記係合突部３３ｃは前記係合部３０ａに係合した状態に保持されている。
【００３０】
容器本体１０内に、熱湯や熱い飲料物が注入されていると、水蒸気によって容器本体１０内が昇圧している場合がある。この場合、操作レバー２６を回動させると、弁体３２は容器内の圧力によって下部筒２２ａの下端部２２ｇに押し付けられた状態のまま、弁棒３３の下降によって面積の小さな減圧パッキン３６が弁体３２の下面から離れ、容器本体１０内の圧力が逃げる。これに伴って、弁体３２が第２スプリング３７の付勢力により下方に押圧されて弁体３２が開状態となる。
【００３１】
図４は、容器本体１０から取り外した栓体２０を示すもので、栓体２０を容器本体１０に装着した時の操作レバー２６の回動限界Ｌ１まで、操作レバー２６を回動させた状態では、係合突部３３ｃが係合部３０ａに係合している。図５に示されるように、押下部２６ｂを前記回動限界Ｌ１よりも更に押し下げると、操作レバー２６の最上部が、突片２２ｅの下端よりも下に位置することとなり、この状態から、図６に示すように、操作レバー２６を栓本体２２内に押し込むように一端側にスライドさせると、スライド部材３０の他端面が前記押下部２６ｂと当接し、スプリング部材３１の付勢力に抗して一端側に移動する。この移動に伴って係合突部３３ｃと係合部３０ａとの係合が解除され、図７に示すように、弁棒３３，弁体３２，第２スプリング３７から成る弁機構２３を栓本体２２から取り外すことができる状態となり、栓本体２２の注出路２１や弁機構２３を別々に洗浄することができる。
【００３２】
また、図８に示すように、スライド部材３０の上面を他端側に突出させた突出片３０ｂは、弁機構２３が栓本体２２から外れた状態で、スライド部材３０がスプリング部材３１によって他端側へ付勢されると、係合部３０ａに対する係合突起３３ｃの規制がないため、前記天板２２ｃの下面に設けた突片２２ｅの内部側に突出し、操作レバー２６の押下部２６ｂを押し下げ位置に保持して回動初期位置まで復帰することを規制するように設定しておく。
【００３３】
洗浄後の弁機構２３を栓本体２２に装着する際には、図７に示されるように、操作レバー２６を回動限界Ｌ１よりも更に回動させるとともに一端側にスライドさせた状態で保持し、弁体３２の外周を手で支えながら、弁棒３３をガイド筒２５に挿入して行く。大径フランジ部３３ｄが、ガイド筒２５の大径筒部２５ａに挿入されると、位置決め用突起３３ｅ，３３ｅが前記傾斜面２５ｄに案内され、大径フランジ部３３ｄが回動しながら位置決め用突起３３ｅ，３３ｅを凹溝部２５ｃ，２５ｃに嵌入させる。これにより、係合突部３３ｃ，３３ｃが係合部３０ａに係合する位置に位置決めされ、弁体３２を下部筒２２ａの下端部２２ｇに当接させ、操作レバー２６の一端側へのスライドを解除すれば、係合突部３３ｃが自動的に係合部３０ａに係合し、弁機構２３が栓本体２２に装着される。なお、本形態例では、位置決め用突起３３ｅと凹部溝２５ｃとで位置決めを行っているが、位置決め用突起３３ｅの代わりに、大径フランジ部３３ｄに凹部を設け、凹部溝２５ｃの代わりに、ガイド筒２５に内方に突出する突起部を設け、該突起部を前記凹部に嵌入させて位置決めを行うものでもよい。
【００３４】
本形態例は、上述のように形成されることから、栓体２０を容器本体１０から取り外し、操作レバー２６を、回動限界Ｌ１よりも更に回動させるとともに一端側にスライドさせることにより、弁棒３３の係合突部３３ｃがスライド部材３０の係合部３０ａから外れ、弁機構２３を栓本体２２から簡単に外すことができる。また、栓体２０が容器本体１０に装着された状態では、操作レバー２６の回動量が把手１４ｃによって規制されるため、弁体３２を開放するために必要な回動量以上に操作レバー２６が回動することがなく、弁機構２３が栓本体２２から外れる虞がない。
【００３５】
また、栓本体２２から弁機構２３を取り外すと、スライド部材３０の突出片３０ｂが突片２２ｅに当接し、操作レバー２６が回動初期位置まで復帰することを規制でき、弁機構２３が栓本体２２に装着不可能となるとともに、外観から、栓本体２２に弁機構２３が装着されているか否かを判別することができるので、弁機構２３を洗浄後、栓本体２２に装着し忘れることがない。
【００３６】
さらに、弁機構２３を栓本体２２に装着する際には、ガイド筒２５に弁棒３３を挿入すれば、係合突部３３ｃの位置決めが自動的に行われるので、栓本体２２に弁機構２３を簡単に装着することができる。また、減圧手段３４を設けたことにより、適宜、飲料容器内の減圧を図ることができ、飲料容器内の内容液を良好に注ぐことができる。
【００３７】
図９乃至図１３は、本発明の第２形態例を示すもので、図９は天板を外した状態の栓体の平面図、図１０は弁体を開状態とした時の栓体の断面図、図１１は操作レバーを飲料容器装着時に規制される回動量よりも更に回動させた状態を示す栓体の断面図、図１２は操作レバーを更に回動させて係合突部が係合部から外れた状態を示す栓体の断面図、図１３は弁機構を栓本体に装着する際の説明図である。尚、上述の第１形態例と同一の箇所には同一の符号を付してその詳細な説明は省略する。
【００３８】
本形態例の栓体４０は、スライド部材４１の両側部に突起４１ａ，４１ａが設けられ、栓本体２２の上部筒２２ｂには、一端側に向けて下り勾配となる傾斜面４２ａ，４２ａを備え、該傾斜面４２ａ，４２ａが前記突起４１ａ，４１ａを案内する一対のガイド部材４２，４２が設けられている。
【００３９】
上述のように形成された本形態例では、図１０に示すように、操作レバー２６の押下部２６ｂを押し下げて操作レバー２６を回動させると、第１形態例と同様に、止水パッキン３５が下部筒２２ａを離れ、注出路２１が開放され、魔法瓶１を注ぎ部１４ｂ方向へ傾けると、内容液が注出路２１，注ぎ部１４ｂを介して注出される。
【００４０】
図１１及び図１２に示されるように、押下部２６ｂを押し下げて、操作レバー２６を前記回動限界Ｌ１よりも更に回動させると、スライド部材４１の突起４１ａ，４１ａが、ガイド部材４２，４２の傾斜面４２ａ，４２ａを下降することにより、スライド部材４１がスプリング部材３１の付勢力に抗して操作レバー２６の一端側に移動する。この移動に伴って係合突部３３ｃと、スライド部材４１に形成した第１形態例と同様の係合部４１ｂとの係合が解除され、弁機構２３が栓本体２２から取り外される。
【００４１】
また、図１３に示されるように、弁機構２３が栓本体２２から外れた状態では、スライド部材４１がスプリング部材３１によって他端側へ付勢され、スライド部材４１の突出片４１ｃと前記天板２２ｃの下面に設けた突片２２ｅとが当接し、操作レバー２６が回動初期位置まで復帰することを規制する。
【００４２】
本形態例は上述のように形成されることにより、操作レバー２６を、回動限界Ｌ１よりも更に回動させるだけで、スライド部材４１の突起４１ａ，４１ａがガイド部材４２の傾斜面を下降し、スライド部材４１を操作レバー２６の一端側に移動させることができるので、第１形態例のものよりも更に簡単に弁機構２３を栓本体２２から取り外すことができる。
【００４３】
尚、本発明は上述の形態例のように、魔法瓶に適用される栓体に限るものではなく、水筒等にも適用でき、容器本体はガラス製のもの、合成樹脂製のものなどいずれのものでも良く、特に断熱構造を有していないものでも良い。
【図面の簡単な説明】
【００４４】
【図１】本発明の第１形態例を示す栓体を装着した飲料容器の要部断面図である。
【図２】同じく栓体の弁体が開状態の飲料容器の要部断面図である。
【図３】同じく天板を外した状態を示す栓体の平面図である。
【図４】同じく弁体を開状態とした時の栓体の断面図である。
【図５】同じく操作レバーを飲料容器装着時に規制される回動量よりも更に回動させた状態を示す栓体の断面図である。
【図６】同じく操作レバーを更に回動させて係合突部が係合部から外れた状態を示す栓体の断面図である。
【図７】同じく弁機構を栓本体から取り外した状態の栓体の断面図である。
【図８】同じく弁機構を栓本体に装着する際の説明図である。
【図９】本発明の第２形態例を示す天板を外した状態の栓体の平面図である。
【図１０】同じく弁体を開状態とした時の栓体の断面図である。
【図１１】同じく操作レバーを飲料容器装着時に規制される回動量よりも更に回動させた状態を示す栓体の断面図である。
【図１２】同じく操作レバーを更に回動させて係合突部が係合部から外れた状態を示す栓体の断面図である。
【図１３】同じく弁機構を栓本体に装着する際の説明図である。
【符号の説明】
【００４５】
１…魔法瓶、１０…容器本体、１１…内容器、１２…外容器、１３…断熱層、１４…肩部材、１４ｂ…注ぎ部、１４ｃ…把手、２０，４０…栓体、２１…注出路、２２…栓本体、２２ａ…下部筒、２２ｂ…上部筒、２２ｃ…天板、２２ｅ…突片、２２ｆ…押え片、２２ｇ…下端部、２３…弁機構、２４…シールパッキン、２５…ガイド筒、２５ａ…大径筒部、２５ｂ…小径筒部、２５ｃ…凹溝部、２５ｄ…傾斜部、２６…操作レバー、２６ａ…枢着部、２６ｂ…押下部、２６ｃ…規制片、２７…保持部、２７ａ…突起、２７ｂ…保持片、２７ｃ…ガイド、２９…第１スプリング、３０，４１…スライド部材、３０ａ，４１ｂ…係合部、３０ｂ，４１ｃ…突出片、３１…スプリング部材、３２…弁体、３２ａ…装着孔、３３…弁棒、３３ａ…円盤部、３３ｂ…軸部、３３ｃ…係合突部、３３ｄ…大径フランジ部、３３ｅ…位置決め用突起、３４…減圧手段、３５…止水パッキン、３６…減圧パッキン、３７…第２スプリング、４１ａ…突起、４２…ガイド部、４２ａ…傾斜面、Ｌ１…栓体を飲料容器に装着した時の操作レバーの回動限界
【図１】
2005278855.tif 000003
【図２】
2005278855.tif 000004
【図３】
2005278855.tif 000005
【図４】
2005278855.tif 000006
【図５】
2005278855.tif 000007
【図６】
2005278855.tif 000008
【図７】
2005278855.tif 000009
【図８】
2005278855.tif 000010
【図９】
2005278855.tif 000011
【図１０】
2005278855.tif 000012
【図１１】
2005278855.tif 000013
【図１２】
2005278855.tif 000014
【図１３】
2005278855.tif 000015